(57)【要約】【課題】夜間や除湿装置の近辺に人がいる場合などの静寂が求められる状況での運転中のファンの回転により生じる風切り音の騒音を低減する除湿装置を提供することを目的とする。【解決手段】空気中の水分を除湿する除湿装置の本体１と、この除湿装置の本体１の周囲の明るさを検知する照度センサー６を接続した制御装置２１と、前記制御装置２１で制御されるモータ２０を備えた除湿装置において、前記制御装置２１は、前記照度センサー６の検知結果により、前記モータ２０の速度を抑制する速度抑制手段２２を備えた構成としたので、夜間など除湿装置本体の周囲が暗い時に、運転中の騒音低減を図る除湿装置を得られる。【選択図】図１
2008142625.tif 000002
【特許請求の範囲】
【請求項１】
空気中の水分を除湿する除湿装置本体と、この除湿装置本体の周囲の明るさを検知する照度センサーを接続した制御装置と、前記制御装置で制御されるモータを備えた除湿装置において、前記制御装置は、前記照度センサーの検知結果により、前記モータの速度を抑制する速度抑制手段を備えたことを特徴とする除湿装置。
【請求項２】
空気中の水分を除湿する除湿装置本体と、この除湿装置本体の近辺の人を検知する人感センサーを接続した制御装置と、前記制御装置で制御されるモータを備えた除湿装置において、前記制御装置は、前記人感センサーの検知結果により、前記モータの速度を抑制する速度抑制手段を備えたことを特徴とする除湿装置。
【請求項３】
制御装置は、運転モードの設定内容と運転状況の表示を行う表示部を備えた除湿装置において、前記照度センサーの検知結果により、前記表示部への出力を抑制することを特徴とする請求項１記載の除湿装置。
【請求項４】
制御装置は、運転モードの設定内容と運転状況の表示を行う表示部を備えた除湿装置において、前記人感センサーの検知結果により、前記表示部への出力を抑制する表示出力抑制手段を備えたことを特徴とする請求項２記載の除湿装置。
【請求項５】
制御装置は、速度抑制手段を有効／無効に設定する速度抑制設定機能を備えたことを特徴とする請求項１または２記載の除湿装置。
【請求項６】
制御装置は、前記速度抑制手段が動作していることを表示する速度抑制表示機能を備えたことを特徴とする請求項１または２記載の除湿装置。
【請求項７】
速度抑制手段は、モータの速度を抑制する複数の抑制レベルを保有し、前記抑制レベルを前記制御装置に接続した抑制レベル設定スイッチにより抑制レベルを選択する抑制レベル選択機能を備え、前記抑制レベル設定スイッチの設定値に応じた前記抑制レベルでモータの速度を抑制することを特徴とする請求項１または２記載の除湿装置。
【請求項８】
制御装置は、速度抑制手段がモータの速度を抑制開始後の所定時間内は前記速度抑制手段を無効としないことを特徴とする請求項１または２記載の除湿装置。
【請求項９】
制御装置は、照度センサーの感度レベルを複数レベル保有し、前記感度レベルを前記制御装置に接続した感度レベル設定スイッチにより感度レベルを選択する照度センサー感度設定機能を備え、前記感度レベル設定スイッチの設定値に応じた前記感度レベルで前記照度センサーの検知結果を行うことを特徴とした請求項１記載の除湿装置。
【請求項１０】
制御装置は、人感センサーの感度レベルを複数レベル保有し、前記感度レベルを前記制御装置に接続した感度レベル設定スイッチにより感度レベルを選択する人感センサー感度設定機能を備え、前記感度レベル設定スイッチの設定値に応じた前記感度レベルで前記人感センサーの検知結果を行うことを特徴とした請求項２記載の除湿装置。
【発明の詳細な説明】
【技術分野】
【０００１】
本発明は、運転中の騒音を低減する除湿装置に関する。
【背景技術】
【０００２】
従来の除湿装置は、図１５に示すように、除湿装置内部に設けられた本体外気を吸引および排出を行う送風ファン１０１と、通過する空気中の水分を吸着する吸湿材１０２と、吸湿材１０２から水分を放出するため、吸湿材１０２を加熱再生するための加熱手段である再生ヒータ１０３と、再生空気を流路循環させるための送風手段である再生ファン１０４と、吸湿材１０２から放出される水分を凝縮させる凝縮器１０５と、室温を検出するための温度センサー１０６と、湿度センサー１０７および温度センサー１０６からの信号に基づいて送風ファン１０１と再生ヒータ１０３と再生ファン１０４の運転を制御する制御部１０８と、使用者が運転モードを切り替えるための操作部１０９で構成されている。また再生ヒータ１０３は、ヒーターを段階的に制御するため、複数段階の切り替えが行えるように構成されている。操作部１０９には除湿装置の運転を開始するための運転切および入スイッチ１１０が配されている。また除湿装置の本体１１１の下部には凝縮器１０５において結露した水分を貯めるためのタンク１１２と、湿気を含んだ空気を吸込む吸込口１１３が設けられている（例えば、特許文献１参照）。
【０００３】
上記構成において、除湿装置の動作概要について図１５を参照しながら説明する。まず使用者によって操作部１０９に配された運転切および入スイッチ１１０が押された場合に、除湿装置の運転が開始される。制御部１０８は、温度センサー１０６および湿度センサー１０７によって検出される室内温度および室内湿度に応じて、同時に送風ファン１０１と再生ヒータ１０３の予め設定されている段数の通電と再生ファン１０４を駆動し、また吸湿材１０２の回転を開始する。制御部１０８による送風ファン１０１の駆動により、湿気を含んだ空気が吸込口１１３から流入する。その後回転している吸湿材１０２を通過することにより、水分は吸湿材１０２に吸着し、乾燥した空気が吹出口から排出される。一方、水分を吸着した吸湿材１０２は再生ファン１０４により、再生ヒータ１０３により加熱された空気が送り込まれることにより、その水分を放出し凝縮器１０５へと導かれる。高温高湿となった空気は凝縮器１０５において、吸込口１１３より流入する空気により冷却され、水分が凝縮される。凝縮された水分は凝縮器１０５の内部を通じて、タンク１１２へと導かれ貯水する。
【特許文献１】特開２００４−２６４１９３号公報
【発明の開示】
【発明が解決しようとする課題】
【０００４】
このような従来の除湿装置では、夜間や除湿装置の近辺に人がいる場合などの静寂が求められる状況での運転中に送風ファン１０１と再生ファン１０４の回転により生じる風切り音が騒音となり居室内に伝播するという課題があった。
【０００５】
本発明は、このような従来の課題を解決するものであり、夜間や除湿装置の近辺に人がいる場合などの静寂が求められる状況での運転中のファンの回転により生じる風切り音の騒音を低減する除湿装置を提供することを目的としている。
【課題を解決するための手段】
【０００６】
本発明の除湿装置は上記目的を達成するために、空気中の水分を除湿する除湿装置本体と、この除湿装置本体の周囲の明るさを検知する照度センサーを接続した制御装置と、前記制御装置で制御されるモータを備えた除湿装置において、前記制御装置は、前記照度センサーの検知結果により、前記モータの速度を抑制する速度抑制手段を備えた構成としたものである。
【０００７】
この手段により、夜間など除湿装置本体の周囲が暗い時に、運転中の騒音低減を図る除湿装置が得られる。
【０００８】
また、他の手段は、空気中の水分を除湿する除湿装置本体と、この除湿装置本体の近辺の人を検知する人感センサーを接続した制御装置と、前記制御装置で制御されるモータを備えた除湿装置において、前記制御装置は、前記人感センサーの検知結果により、前記モータの速度を抑制する速度抑制手段を備えた構成としたものである。
【０００９】
この手段により、除湿装置本体の近辺に人がいる時、運転中の騒音低減を図る除湿装置が得られる。
【００１０】
また、他の手段は、前記制御装置は、運転モードの設定内容と運転状況の表示を行う表示部を備えた除湿装置において、前記照度センサーの検知結果により、前記表示部への出力を抑制する表示出力抑制手段を備えたことを特徴としたものである。
【００１１】
この手段により、夜間など除湿装置本体の周囲が暗い時に、運転中の表示出力を抑制し省エネを図る除湿装置が得られる。
【００１２】
また、他の手段は、前記制御装置は、運転モードの設定内容と運転状況の表示を行う表示部を備えた除湿装置において、前記人感センサーの検知結果により、前記表示部への出力を抑制する表示出力抑制手段を備えたことを特徴としたものである。
【００１３】
この手段により、除湿装置本体の近辺に人がいない時、運転中の表示出力を抑制し省エネを図る除湿装置が得られる。
【００１４】
また、他の手段は、前記制御装置は、前記速度抑制手段を有効／無効に設定する速度抑制設定機能を備えた構成としたものである。
【００１５】
この手段により、使用者が速度抑制と除湿能力のどちらを優先するかの選択が可能となり、使用者の志向に合った除湿装置が得られる。
【００１６】
また、他の手段は、前記制御装置は、前記速度抑制手段が動作していることを表示する速度抑制表示機能を備えた構成としたものである。
【００１７】
この手段により、使用者が速度抑制手段の動作状況の確認が出来、使い勝手が向上する除湿装置が得られる。
【００１８】
また、他の手段は、前記速度抑制手段は、前記モータの速度を抑制する複数の抑制レベルを保有し、前記抑制レベルを前記制御装置に接続した抑制レベル設定スイッチにより抑制レベルを選択する抑制レベル選択機能を備え、前記抑制レベル設定スイッチの設定値に応じた前記抑制レベルでモータの速度を抑制することを特徴としたものである。
【００１９】
この手段により、使用者が除湿能力と騒音低減の優先度合いを選択可能となり、使用者の志向に合った除湿装置が得られる。
【００２０】
また、他の手段は、前記制御装置は、前記速度抑制手段が前記モータの速度を抑制開始後の所定時間内は前記速度抑制手段を無効としないことを特徴としたものである。
【００２１】
この手段により、センサーの検知結果によるモータの速度を抑制する動作のチャタリング防止を有した除湿装置が得られる。
【００２２】
また、他の手段は、前記制御装置は、前記照度センサーの感度レベルを複数レベル保有し、前記感度レベルを前記制御装置に接続した感度レベル設定スイッチにより感度レベルを選択する照度センサー感度設定機能を備え、前記感度レベル設定スイッチの設定値に応じた前記感度レベルで前記照度センサーの検知結果を行うことを特徴としたものである。
【００２３】
この手段により、使用環境に合ったセンサー検知が行える除湿装置が得られる。
【００２４】
また、他の手段は、前記制御装置は、前記人感センサーの感度レベルを複数レベル保有し、前記感度レベルを前記制御装置に接続した感度レベル設定スイッチにより感度レベルを選択する人感センサー感度設定機能を備え、前記感度レベル設定スイッチの設定値に応じた前記感度レベルで前記人感センサーの検知結果を行うことを特徴としたものである。
【００２５】
この手段により、使用環境に合ったセンサー検知が行える除湿装置が得られる。
【発明の効果】
【００２６】
本発明によれば、夜間や除湿装置の近辺に人がいる場合などの静寂が求められる状況での運転中のファンの回転により生じる風切り音の騒音を低減するという効果のある除湿装置を提供できる。
【発明を実施するための最良の形態】
【００２７】
本発明の請求項１記載の発明は、空気中の水分を除湿する除湿装置本体と、この除湿装置本体の周囲の明るさを検知する照度センサーを接続した制御装置と、前記制御装置で制御されるモータを備えた除湿装置において、前記制御装置は、前記照度センサーの検知結果により、前記モータの速度を抑制する速度抑制手段を備えた構成としたものであり、夜間など除湿装置本体の周囲が暗い時に、運転中の騒音低減を図るという作用を有する。
【００２８】
また、請求項２記載の発明は、空気中の水分を除湿する除湿装置本体と、この除湿装置本体の近辺の人を検知する人感センサーを接続した制御装置と、前記制御装置で制御されるモータを備えた除湿装置において、前記制御装置は、前記人感センサーの検知結果により、前記モータの速度を抑制する速度抑制手段を備えた構成としたものであり、除湿装置本体の近辺に人がいる時、運転中の騒音低減を図る作用を有する。
【００２９】
また、請求項３記載の発明は、前記制御装置は、運転モードの設定内容と運転状況の表示を行う表示部を備えた除湿装置において、前記照度センサーの検知結果により、前記表示部への出力を抑制する表示出力抑制手段を備えた構成としたものであり、夜間など除湿装置本体の周囲が暗い時に、運転中の表示出力を抑制し省エネを図る作用を有する。
【００３０】
また、請求項４記載の発明は、前記制御装置は、運転モードの設定内容と運転状況の表示を行う表示部を備えた除湿装置において、前記人感センサーの検知結果により、前記表示部への出力を抑制する表示出力抑制手段を備えた構成としたものであり、除湿装置本体の近辺に人がいない時、運転中の表示出力を抑制し省エネを図る作用を有する。
【００３１】
また、請求項５記載の発明は、前記制御装置は、前記速度抑制手段を有効／無効に設定する速度抑制設定機能を備えたことを特徴としたものであり、使用者が速度抑制と除湿能力のどちらを優先するかの選択が可能となり使い勝手が向上する作用を有する。
【００３２】
また、請求項６記載の発明は、前記制御装置は、前記速度抑制手段が動作していることを表示する速度抑制表示機能を備えた構成としたものであり、使用者が速度抑制手段の動作状況の確認が出来、使い勝手が向上する作用を有する。
【００３３】
また、請求項７記載の発明は、前記速度抑制手段は、前記モータの速度を抑制する複数の抑制レベルを保有し、前記抑制レベルを前記制御装置に接続した抑制レベル設定スイッチにより抑制レベルを選択する抑制レベル選択機能を備え、前記抑制レベル設定スイッチの設定値に応じた前記抑制レベルでモータの速度を抑制することを特徴としたものであり、使用者が除湿能力と騒音低減の優先度合いを選択可能となり、使い勝手が向上する作用を有する。
【００３４】
また、請求項８記載の発明は、前記制御装置は、前記速度抑制手段が前記モータの速度を抑制開始後の所定時間内は前記速度抑制手段を無効としないことを特徴としたものであり、センサーの検知結果によるモータの速度を抑制する動作のチャタリングを防止する作用を有する。
【００３５】
また、請求項９記載の発明は、前記制御装置は、前記照度センサーの感度レベルを複数レベル保有し、前記感度レベルを前記制御装置に接続した感度レベル設定スイッチにより感度レベルを選択する照度センサー感度設定機能を備え、前記感度レベル設定スイッチの設定値に応じた前記感度レベルで前記照度センサーの検知結果を行うことを特徴としたものであり、使用環境に合ったセンサー検知が行える作用を有する。
【００３６】
また、請求項１０記載の発明は、前記制御装置は、前記人感センサーの感度レベルを複数レベル保有し、前記感度レベルを前記制御装置に接続した感度レベル設定スイッチにより感度レベルを選択する人感センサー感度設定機能を備え、前記感度レベル設定スイッチの設定値に応じた前記感度レベルで前記人感センサーの検知結果を行うことを特徴としたものであり、使用環境に合ったセンサー検知が行える作用を有する。
【００３７】
以下、本発明の実施の形態について図面を参照しながら説明する。
【００３８】
（実施の形態１）
図１〜図２に示すように、除湿装置の本体１は、貯水タンク２を搭載し、吸気口３と吹出口４を有している。さらに運転スイッチや運転モードランプからなる操作表示部５および照度センサー６を有している。
【００３９】
除湿装置の本体１の内部にはモータ２０と、このモータ２０で駆動されるファンと、空気中の水分を吸着する吸湿剤と、吸湿剤から水分を放出するための吸湿剤を加熱再生するための再生ヒータと、吸湿剤から放出される水分を凝縮させる凝縮器やエアフィルタなどが収納されている（いずれも符号なきものは図示しない）。
【００４０】
モータ２０を駆動することにより、室内の多湿空気を吸気口３から取り込んで吸湿剤で空気中の水分を吸着し、吹出口４から除湿された空気を排出して室内を除湿する。
【００４１】
また、操作表示部５には、除湿装置の運転を開始するための電源スイッチ１０ａと、除湿運転モードを選択する除湿スイッチ１０ｂと衣類乾燥運転モードを選択する衣類スイッチ１０ｃとモータの速度抑制レベルを選択する抑制レベルスイッチ１０ｄと速度抑制の有効／無効を選択する速度抑制スイッチ１０ｅおよび照度センサーの感度レベルを選択する感度レベルスイッチ１０ｆからなる操作部１０と、電源が入っていることを表示する運転表示部１１ａと除湿運転の設定状態を表示する除湿運転表示部１１ｂと衣類乾燥運転の設定状態を表示する衣類乾燥運転表示部１１ｃとモータの速度抑制レベルの設定レベルを表示する抑制レベル１表示部１１ｄと抑制レベル２表示部１１ｅと抑制レベル３表示部１１ｆと速度抑制の有効設定内容を表示する速度抑制設定表示部１１ｇと速度抑制の動作内容を表示する速度抑制動作表示部１１ｈと照度センサーの設定感度レベルを表示する感度レベル１表示部１１ｉと感度レベル２表示部１１ｊと感度レベル３表示部１１ｋからなる表示部１１を設ける。
【００４２】
図３は本発明の実施の形態の制御装置２１の構成と入出力の構成を示す図である。
【００４３】
制御装置２１には図１で説明した照度センサー６と図２で説明した操作部１０が入力として接続されている。さらに制御装置２１の出力として、図２で説明した表示部１１とモータ２０が接続されている。また、制御装置２１にはモータ２０の回転速度を抑制する速度抑制手段２２と表示部１１への出力を抑制する表示出力抑制手段２３と速度抑制手段２２の有効／無効を設定する速度抑制設定機能２４と速度抑制手段２２の動作状況を表示する速度抑制表示機能２５と接続されたセンサーの感度を設定するセンサー感度設定機能２６を有する。さらに速度抑制手段２２には複数の抑制レベルを選択する抑制レベル選択機能２７を有する。
【００４４】
ここで制御装置２１は、図示しないがマイコン（マイクロコンピュータ）と入出力のインタフェースのためのトランジスタ等の電子部品で構成されている。
【００４５】
また、モータ２０の回転数を制御する速度抑制手段２２は例えばパルス幅変調（ＰＷＭ）式の可変電圧電流電源が用いられる。
【００４６】
図４は制御装置２１のマイコン内のＲＯＭに記憶されたデータを示す図である。
【００４７】
図４（ａ）は抑制レベルスイッチ１０ｄで設定した速度抑制レベルとモータの速度（速度係数）の関係を示すデータである。図４（ｂ）は感度レベルスイッチ１０ｆで設定した照度センサー６の感度レベルと感度設定値（感度係数）の関係を示すデータである。
【００４８】
図５〜図９は動作を説明するためのフローチャートである。
【００４９】
図５は速度抑制設定機能２４に関わる動作についてのフローチャートである。
【００５０】
ステップ１（以下ステップをＳと略記）において、速度抑制スイッチ１０ｅの入力が有ったかどうか判断を行う。入力が有った場合はＳ２へ移行し、入力が無かった場合は処理を終了する。
【００５１】
Ｓ２において、速度抑制設定の設定内容が有効であるかどうか判断を行う。有効の場合はＳ３へ移行し、無効の場合はＳ４へ移行する。
【００５２】
Ｓ３において、速度抑制の設定内容を無効に設定する。
【００５３】
Ｓ４において、速度抑制の設定内容を有効に設定する。
【００５４】
これにより使用者が速度抑制と除湿能力のどちらを優先するかを使用者の志向により選択が可能となり、使い勝手が向上する。
【００５５】
図６は速度抑制表示機能２５および表示出力抑制手段２３に関わる動作についてのフローチャートである。
【００５６】
Ｓ１１において、速度抑制手段２２が動作中であるかの判断を行う。動作中の場合はＳ１２へ移行し、動作中でない場合はＳ１４へ移行する。
【００５７】
Ｓ１２において、速度抑制動作表示部１１ｈへＯＮ出力を行う。
【００５８】
Ｓ１３において、表示部１１の各表示部の輝度を暗くする。
【００５９】
Ｓ１４において、速度抑制動作表示部１１ｈへＯＦＦ出力を行う。
【００６０】
これにより使用者が速度抑制手段２２の動作状況の確認ができ使い勝手が向上する。
【００６１】
また、夜間など除湿装置本体の周囲が暗い時に、運転中の表示出力を抑制し省エネを図ることができる。
【００６２】
図７は抑制レベル選択機能２７に関わる動作についてのフローチャートである。
【００６３】
Ｓ２１において、速度抑制レベルスイッチ１０ｄの入力が有ったかどうか判断を行う。入力が有った場合はＳ２２へ移行し、入力が無かった場合は処理を終了する。
【００６４】
Ｓ２２において、設定中の速度抑制レベルが最大レベルのレベル３であるか判断を行う。最大レベルの場合はＳ２３へ移行し、それ以外の場合はＳ２４へ移行する。
【００６５】
Ｓ２３において、速度抑制レベルに最小レベルのレベル１を設定する。
【００６６】
Ｓ２４において、速度抑制レベルに設定中のレベルのワンランク上のレベルを設定する。
【００６７】
これにより使用者が除湿能力と騒音低減の優先度合いを使用者の志向により選択可能となり、使い勝手が向上する。
【００６８】
図８はセンサー感度設定機能２６に関わる動作についてのフローチャートである。
【００６９】
Ｓ３１において、感度レベルスイッチ１０ｆの入力が有ったかどうかの判断を行う。入力が有った場合は、Ｓ３２へ移行し、入力が無かった場合は、Ｓ３４へ移行する。
【００７０】
Ｓ３２において、設定中の感度レベルが最大レベルのレベル３であるか判断を行う。最大レベルの場合はＳ３３へ移行し、それ以外の場合はＳ３４へ移行する。
【００７１】
Ｓ３３において、感度設定レベルに最小レベルのレベル１を設定する。
【００７２】
Ｓ３４において、感度設定レベルに設定中のレベルのワンランク上のレベルを設定する。
【００７３】
これにより使用環境に合ったセンサー検知の選択が可能となり使い勝手の向上が図れる。
【００７４】
図９は速度抑制手段２２に関わる動作についてのフローチャートである。
【００７５】
Ｓ４１において、運転中かどうか判断を行う。運転中の場合はＳ４２へ移行し、停止中の場合はＳ４８へ移行する。
【００７６】
Ｓ４２において、速度抑制設定機能２４の設定内容が有効設定の場合はＳ４３へ移行し、無効設定の場合はＳ４８へ移行する。
【００７７】
Ｓ４３において、照度センサー６の値の読み込みを行う。
【００７８】
Ｓ４４において、Ｓ４３で読み込んだ照度センサー６の読み込み値とセンサー感度設定機能２６で設定された感度設定値の大小比較を行う。感度設定値は、図４（ｂ）の感度レベルに対応した感度係数により決定する。例えば、感度レベル１の感度設定値が５１２の場合、感度レベル２の感度設定値は５１２ｘ０．８＝４０９となり、感度レベルが高い程、感度設定値は除湿装置の本体１の周囲が明るい照度となる。照度センサー６の読み込み値が感度設定値以下の場合はＳ４５へ移行し、それ以外の場合はＳ４７へ移行する。
【００７９】
Ｓ４５において、モータ２０の速度減速を行う。モータ速度は図４（ａ）の抑制レベルに対応した速度係数により決定する。例えば、抑制レベル２の場合、モータ速度は全速の０．６倍となる。
【００８０】
Ｓ４６において、モータ２０の速度を抑制開始後の実行時間のカウントを行う。
【００８１】
Ｓ４７において、Ｓ４４での判定結果がモータ２０の速度を抑制する条件から外れた場合、モータ２０の速度を抑制開始からの実行時間が所定時間経過したかの判断を行う。ここで所定時間としては、使用者が夜間の照明入り切りを行う動作を考慮すると５分とする。モータ２０の速度を抑制開始から所定時間経過する前はＳ４５へ移行し、所定時間が経過した場合はＳ４８へ移行する。
【００８２】
Ｓ４８において、モータ２０の速度を抑制開始後の実行時間のカウンタをクリアする。
【００８３】
これにより夜間など除湿装置本体の周辺が暗い時に、運転中の騒音低減を図ることができる。
【００８４】
また、照度センサー６の検知結果によるモータ２０の速度を抑制する動作のチャタリング防止が図れる。
【００８５】
以上の図３〜図９で説明した動作は、制御装置２１の前述のマイコンにおいて、ＲＯＭやＲＡＭやカウンターなどが共働するマイコンのプログラムの形態で実施される。
【００８６】
（実施の形態２）
図１０は本発明の実施形態にかかる除湿装置の構成を示した図である。図１１は本発明の実施形態にかかる操作表示部５の構成を示した図である。図１２は本発明の実施形態にかかる制御装置２１の構成と入出力の構成を示した図である。
【００８７】
図１０〜図１２において、実施の形態１と異なるところは、制御装置２１に接続するセンサーを除湿装置の本体１の近辺の人を検知する人感センサー３０を設けた点である。図１０〜図１２において実施の形態１と同じ構成要素については同じ符号を用いその説明を省略する。
【００８８】
図１３は制御装置２１のマイコン内のＲＯＭに記憶されたデータを示す図である。
【００８９】
図１３は感度レベルスイッチ１０ｆで設定した人感センサー３０の感度レベルと感度設定値（感度係数）の関係を示すデータである。
【００９０】
図１４は本発明の実施形態にかかる速度抑制手段２２に関わる動作についてのフローチャートである。
【００９１】
図１４において実施の形態１と異なるところは、Ｓ６３において、人感センサー３０の値の読み込みを行う点である。
【００９２】
また、Ｓ６４において、Ｓ６３で読み込んだ人感センサー３０の読み込み値とセンサー感度設定機能２６で設定された感度設定値の大小比較を行う。感度設定値は、図１３（ａ）の感度レベルに対応した感度係数により決定する。例えば、感度レベル１の感度設定値が５１２の場合、感度レベル３の感度設定値は５１２ｘ０．３＝１５３となり、感度レベルが高い程、感度設定値は除湿装置の本体１の近辺の人の動きに敏感に反応する。人感センサー３０の読み込み値が感度設定値以下の場合はＳ４５へ移行し、それ以外の場合はＳ４７へ移行する。
【００９３】
これにより除湿機の本体１の近辺に人がいる時は、運転中の騒音低減を図ることができる。
【００９４】
また、除湿機の本体１の近辺に人がいない時は、運転中の表示出力を抑制し省エネを図ることができる。
【００９５】
また、人感センサー３０の検知結果によるモータ２０の速度を抑制する動作のチャタリング防止が図れる。
【産業上の利用可能性】
【００９６】
本発明の照度センサーまたは人感センサーの検知結果によりモータの速度を抑制する技術は、夜間運転時や近辺に人が存在するときの運転中の騒音低減が図れるので、家庭用の空気清浄機や加湿機にも適用できる。
【図面の簡単な説明】
【００９７】
【図１】本発明の実施の形態１の除湿装置の外観図
【図２】同除湿装置の操作表示部の正面図
【図３】同除湿装置の構成を示した図
【図４】同除湿装置の制御装置に記憶されているデータを示す図（（ａ）抑制レベルスイッチで設定した速度抑制レベルとモータの速度（速度係数）の関係を示す図、（ｂ）感度レベルスイッチで設定した照度センサーの感度レベルと感度設定値（感度係数）の関係を示す図）
【図５】同除湿装置の制御装置の速度抑制設定機能の動作を説明するフローチャート
【図６】同除湿装置の制御装置の表示出力抑制手段と速度抑制表示機能の動作を説明するフローチャート
【図７】同除湿装置の制御装置の速度抑制設定機能の動作を説明するフローチャート
【図８】同除湿装置の制御装置のセンサー感度設定機能の動作を説明するフローチャート
【図９】同除湿装置の制御装置の速度抑制手段の動作を説明するフローチャート
【図１０】本発明の実施の形態２の除湿装置の外観図
【図１１】同除湿装置の操作表示部の正面図
【図１２】同除湿装置の構成を示した図
【図１３】同除湿装置の制御装置に記憶されているデータを示す図
【図１４】同除湿装置の制御装置の速度抑制手段の動作を説明するフローチャート
【図１５】従来例の除湿装置構成図
【符号の説明】
【００９８】
１    本体
２    貯水タンク
３    吸気口
４    吹出口
５    操作表示部
６    照度センサー
１０  操作部
１１  表示部
２０  モータ
２１  制御装置
２２  速度抑制手段
２３  表示出力抑制手段
２４  速度抑制設定機能
２５  速度抑制表示機能
２６  センサー感度設定機能
３０  人感センサー
【図１】
2008142625.tif 000003
【図２】
2008142625.tif 000004
【図３】
2008142625.tif 000005
【図４】
2008142625.tif 000006
【図５】
2008142625.tif 000007
【図６】
2008142625.tif 000008
【図７】
2008142625.tif 000009
【図８】
2008142625.tif 000010
【図９】
2008142625.tif 000011
【図１０】
2008142625.tif 000012
【図１１】
2008142625.tif 000013
【図１２】
2008142625.tif 000014
【図１３】
2008142625.tif 000015
【図１４】
2008142625.tif 000016
【図１５】
2008142625.tif 000017